(57)【要約】【課題】レンズ付きフイルムユニットの不正規な再利用を防止する。【解決手段】ストロボ装置２０の電源電池３８の長手方向と、カートリッジ室１６の長手方向が略平行になるように、カートリッジ室１６と露光ユニット２１の間に電源電池３８を組み付ける。不正規に電源電池３８を交換するには、ストロボ装置２０や露光ユニット２１を覆うように、本体基部１３に取り付けられている前カバーを取り外さなければならず、作業工数が増加し、効率も悪くなる。これにより、使用済みレンズ付きフイルムユニットの不正規な再利用を防止することができる。【選択図】　　　　図４
2004117898.tif 000002
【特許請求の範囲】
【請求項１】
予め未露光の写真フイルムが装填されるとともに、撮影レンズや各メカ機構が組込まれた露光ユニットが取り付けられる本体基部と、電源電池からの給電によってストロボ発光を行うストロボ装置と、本体基部の前面側に取り付けられる前カバーとを備えたレンズ付きフイルムユニットにおいて、
前記本体基部と前カバーとの間であって、かつ前カバーを取り外さなければ装填又は取り外しができない位置に、前記電源電池を組み込んだことを特徴とするレンズ付きフイルムユニット。
【請求項２】
前記本体基部は、中央部に前記露光ユニットが備えられ、その両端部にフイルムロール室とカートリッジ室とが形成されており、前記電源電池は、その長手方向とカートリッジ室の長手方向とが略平行になるように、露光ユニットとカートリッジ室との間に組込まれていることを特徴とする請求項１記載のレンズ付きフイルムユニット。
【発明の詳細な説明】
【０００１】
【発明の属する技術分野】
本発明は、使用済みレンズ付きフイルムユニットの不正使用を防止するレンズ付きフイルムユニットに関するものである。
【０００２】
【従来の技術】
リサイクルカメラとして、未露光の写真フイルムが予め装填されたレンズ付きフイルムユニットが各種販売されている。また、夜間や室内で撮影するためにストロボ装置を内蔵したものもある。レンズ付きフイルムユニットに内蔵されているストロボ装置は、ローコスト化を図るため、１枚の回路基板に全てのストロボ用の電気部品を実装してユニット化されている。このストロボユニットの回路基板は、レンズ付きフイルムユニットの本体基部に備えられた露光ユニットと、写真フイルムを収納するフイルムロール室との間のスペースに設けられている。ストロボ用の電源電池としては、主に略円筒形の単三型アルカリ電池が用いられている。この電源電池は、レンズ付きフイルムユニットの底面側に設けられた電池収納部に、本体基部の長手方向に対して平行な向きで収納されている。この電池収納部は、後カバーに設けられた底板で塞がれている。
【０００３】
使用済みのレンズ付きフイルムユニットは、ユーザーによって現像所等に持ち込まれる。現像所では、レンズ付きフイルムユニットからフイルムを取り出して現像、プリント処理を行う。そして、ユーザーには現像済みのフイルムとプリント写真とが戻され、空になったレンズ付きフイルムユニットの本体部は製造メーカーが回収してリサイクル、リユースしている。しかし、製造メーカー以外の業者が使用済みのレンズ付きフイルムユニットを回収し、未使用のフイルムとストロボ装置の電源電池を再装填し、不正規に再販売している。
【０００４】
このような製造メーカー以外の不正業者による詰替え製品は、適正な検査や部品交換が行われずに再販売されるため、信頼性に乏しいという問題がある。また、詰替え製品に発生する問題は、レンズ付きフイルムユニットそのものに対する信頼性を低くするという問題もある。
【０００５】
【発明が解決しようとする課題】
レンズ付きフイルムユニットの後カバーを取り外すと、フイルムロール室、カートリッジ室、フイルムカウンタ、電源電池が全て露呈する構造となっている。したがって、不正業者はレンズ付きフイルムユニットの後カバーを外して新しいフイルムを装填し、フイルムカウンタを初期値へ戻し、電源電池を交換して再び後カバーを取り付けるだけで、容易に不正規な再装填作業を行うことができる。また、不正規に電源電池だけを交換する場合には、底板を開放させて電源電池を取り出し、交換することも可能である。
【０００６】
更に、レンズ付きフイルムユニットを高所から落下させるなどの強い衝撃が与えられると、底板が開き電池が落下することも考えられる。
【０００７】
本発明は、上記のような問題を解決するためになされたものであり、使用済みレンズ付きフイルムユニットの不正使用と、強い衝撃などによって電源電池が落下することを防止できるレンズ付きフイルムユニットを提供することを目的とする。
【０００８】
【課題を解決するための手段】
上記目的を達成するために、本発明のレンズ付きフイルムユニットは、予め未露光の写真フイルムが装填されるとともに、撮影レンズや各メカ機構が組込まれた露光ユニットが取り付けられる本体基部と、電源電池からの給電によってストロボ発光を行うストロボ装置と、本体基部の前面側に取り付けられる前カバーとを備えており、本体基部と前カバーとの間であって、かつ前カバーを取り外さなければ装填又は取り外しができない位置に、電源電池を組み込んだものである。
【０００９】
電源電池は、その長手方向とカートリッジ室の長手方向とが略平行になるように、露光ユニットとカートリッジ室との間に組込まれているものである。
【００１０】
【発明の実施の形態】
本発明を使用したレンズ付きフイルムユニットを図１に示す。レンズ付きフイルムユニット２は、予め未露光の写真フイルムが装填され、各種撮影機構が組み込まれたユニット本体３と、このユニット本体３を部分的に覆う外装ラベル４とから構成されている。
【００１１】
ユニット本体３の上面には、シャッタボタン５，カウンタ窓６，ライトガイド７が、前面にはファインダ８，撮影レンズ９，ストロボ発光部１０，スライド式の操作部材１１が、背面側には１コマの撮影毎に回動操作される巻上げノブ１２が、それぞれ露呈されている。
【００１２】
図２はレンズ付きフイルムユニットの分解図である。図２に示すように、レンズ付きフイルムユニット２は、本体基部１３と、この本体基部１３を前面及び後面側から覆うように配置される前カバー１４及び後カバー１５とから構成される。本体基部１３の左右には、カートリッジ室１６及びフイルムロール室１７が形成されており、フイルムカートリッジ１８及び写真フイルム１９をロール状にしたフイルムロール１９ａがそれぞれ装填される。カートリッジ室１６の上部には巻上げノブ１２が配置され、この巻上げノブ１２の下部には、フイルムカートリッジ１８のスプールに係合される軸部材が形成されている。この巻上げノブ１２を図中反時計方向に回動させることにより、撮影済の写真フイルム１９がフイルムカートリッジ１８の内部に巻き上げられる。
【００１３】
カートリッジ室１６とフイルムロール室１７との間には露光ユニット２１が取り付けられており、この露光ユニット２１には、シャッタ機構、フイルム巻止め機構、残り撮影可能コマ数を表示するためのカウンタ機構、ファインダ等の各メカ機構が組み付けられている。また、詳しくは図示しないが、露光ユニット２１の前面中央には露光開口が形成されており、その前面にシャッタ羽根、レンズホルダが取り付けられている。
【００１４】
図３に示すように、ストロボ装置２０は、ストロボ発光部１０やメインコンデンサ３０、シンクロスイッチ３１などの回路部品が回路基板３２に実装されている部品実装部３５と、金属製の切片３６，３７の一端が電源電池３８の上部（負極）と下部（正極）を挟持しており、他端は回路基板３２に形成された配線パターンに接続されている電源供給部３９とが、一枚の回路基板３２に備えられユニット化されている。
【００１５】
操作部材１１は、スライド板４０と一体に形成されており、裏側には充電スイッチ４１を押す突起部（図示せず）が形成されている。スライド板４０は操作部材１１を上下方向にスライドさせる案内作用を持つ案内板４２に組み付けられ、ストロボ装置２０の回路基板３２前面と前カバー１４の間に組み付けられ、前カバー１４の開口部より操作部材１１を露呈させている
【００１６】
ストロボ発光を行うときには、前カバー１４から露呈している操作部材１１を上方向にスライドさせる。スライド板４０の裏側に備えられた突起部によって、弾性変形可能な充電スイッチ４１を押圧して回路基板３２に設けられた接点４１ａに充電スイッチ４１を接触させることによって給電を開始させる。操作部材１１は、給電開始と発光選択のスイッチを兼ねており、オンとなるとストロボ装置２０の充電回路が作動してメインコデンサ３０の充電が行われるとともに、ストロボ発光が許容される。操作部材１１がオフのときには、充電が停止されるとともに発光が禁止される。
【００１７】
図４に示すように、部品実装部３５はフイルムロール室１７と露光ユニット２１に挟まれるように本体基部１３の前面に組み付けてある。また、電源供給部３９はカートリッジ室１６と露光ユニット２１に挟まれるように本体基部１３の前面に組み付けてある。部品実装部３５と電源供給部３９とを一体に繋いでいる回路基板３２の一部３２ａは、露光ユニット２１の下側に配置される。
【００１８】
上述したように構成されるレンズ付きフイルムユニットの作用について説明する。レンズ付きフイルムユニット２の製造時に、写真フイルム１９が装填される。この装填されている写真フイルム１９の全ての撮影コマの撮影が完了したら、巻上げノブ１２を連続的に回転操作し、全ての写真フイルムをカートリッジ１８内に巻き込む。そして、レンズ付きフイルムユニット２を現像所等に提出する。
【００１９】
現像所等では、ユニット本体３の下面に設けてある底蓋１５ａを開放してカートリッジ室１６から撮影済の写真フイルムカートリッジ１８を取り出す。この後、写真フイルム１９に現像処理を施し、現像済の写真フイルムの各撮影コマからプリント写真を作成する。写真フイルム１９は、カートリッジに収納された状態で、プリント写真とともにユーザに返却される。
【００２０】
一方、写真フイルムカートリッジ１８が取り出された使用済みのユニット本体は、レンズ付きフイルムユニットの製造メーカーに回収され、各部品やユニットごとにリサイクル，リユースされる。しかし、使用済のレンズ付きフイルムユニットが製造メーカー以外の不正業者によって回収され、写真フイルム１９や電源電池３８が不正規に再装填されて販売されることがある。
【００２１】
写真フイルム１９や電源電池３８を再装填する際には、ユニット本体３の後カバー１５を取り外し、新たな写真フイルムを装填してフイルムカウンタを初期値へ戻す。更に、消耗品である電源電池３８を交換する。しかし、本発明のレンズ付きフイルムユニット２では、電源電池３８の長手方向を縦にして本体基部１３の前面側で、カートリッジ室１６と露光ユニット２１に挟まれるように組み込まれているので、後カバー１５が取り外されたり、ユニット本体３の下側に備えてある底板１５ｂが開放されても、電源電池３８を挟持している金属製の切片３７によって電源電池３８の露出を防げるので、下側からの取り外しを防止することができる。したがって、電源電池３８を取り外すには前カバー１４を取り外す必要があり、作業工数の増加から不正業者が不正使用を断念することとなる。
【００２２】
製造メーカーでの組立て工程では、本体基部１３に露光ユニット２１を組み込んだ後にストロボ装置２０を組み込み、前カバー１４が組み付けられている。リサイクル工程では、ユニット本体３の前カバー１４を開けてストロボ装置２０を取り出し、ストロボ装置２０を単体で検査している。したがって、本実施例のように、本体基部１３の前面側でカートリッジ室１６と露光ユニット２１の間に挟まれるように電源電池３８を組み込んでも、リサイクルや組立て工程では問題はない。
【００２３】
なお、電源電池は必ずしもカートリッジ室１６と露光ユニット２１の間に備えなくともよく、本体基部と前カバーとの間であって、かつ前カバーを取り外さなければ装填又は取り外しができない位置であるなら良い。
【００２４】
【発明の効果】
以上に述べたように、本発明によれば、ストロボ装置の電源電池の長手方向とカートリッジ室の長手方向が略平行になるように、カートリッジ室と露光ユニットの間に電源電池を組付け、本体基部前面側を覆う前カバーを取り付けることで、電源電池の交換は前カバーを外した時にだけ行えるようにしたので、電源電池の不正規な交換をするには作業工数が増加し、作業効率も悪くなる。これにより、不正業者による使用済みのレンズ付きフイルムユニットの不正使用を断念させることができる。また、製造メーカーでは、支障をきたさずにレンズ付きフイルムユニットの組立て及びリサイクル工程を行うことができる。
【００２５】
更に、強い衝撃が加えられても電源電池の落下を防止することができ、電源電池が外部へ簡単に露呈しないため電源電池の液漏れを軽減することもできる。
【図面の簡単な説明】
【図１】レンズ付きフイルムユニットの外観斜視図である。
【図２】レンズ付きフイルムユニットの分解斜視図である。
【図３】ストロボ装置を示す斜視図である。
【図４】ストロボ装置の固定位置を示す説明図である。
【符号の説明】
２　レンズ付きフイルムユニット
１０　ストロボ発光部
１３　本体基部
１４　前カバー
１５　後カバー
１６　カートリッジ室
１７　フイルムロール室
２０　ストロボ装置
２１　露光ユニット
３２　回路基板
３６，３７　金属切片
３８　電源電池
【図１】
2004117898.tif 000003
【図２】
2004117898.tif 000004
【図３】
2004117898.tif 000005
【図４】
2004117898.tif 000006